(57)【要約】      （修正有）【課題】携帯に便利で、衣服やバッグ等の被取付体に容易に着脱自在に取り付けることができ、且つ、釣り用小物を容易に且つ確実に着脱できる釣り用小物保持具を提供する。【解決手段】磁石２を備え、表面に磁石２の磁力により磁性体で形成された釣り用小物を吸着保持する保持面３が形成された釣り用小物保持部４と、釣り用小物保持部４と可撓性ある素材で形成された連結体５で連結され、釣り用小物保持部４の裏面に磁石２の磁力により吸着可能な磁性体６を備えた挟持部７とからなり、被取付体を挟んで挟持部７と釣り用小物保持部４の裏面を対向させ、釣り用小物保持部４の裏面に挟持部７を吸着させることにより、釣り用小物保持具１を被取付体に取り付けることができるようにした。【選択図】図１
2019170320.tif 000002
【特許請求の範囲】
【請求項１】
磁石を備え、表面に前記磁石の磁力により磁性体で形成された釣り用小物を吸着保持する保持面が形成された釣り用小物保持部と、前記釣り用小物保持部と可撓性ある素材で形成された連結体で連結され、前記釣り用小物保持部の裏面に前記磁石の磁力により吸着可能な磁性体を備えた挟持部とからなることを特徴とする釣り用小物保持具。
【請求項２】
前記磁石及び前記磁性体は、防水性膜で被覆されていることを特徴とする請求項１に記載の釣り用小物保持具。
【請求項３】
前記挟持部に備えた前記磁性体は磁石であることを特徴とする請求項１または２に記載の釣り用小物保持具。
【発明の詳細な説明】
【技術分野】
【０００１】
本発明は、フック、ルアー、フライ等の釣り針や、その他釣りで使用される磁性体で形成された釣り用小物を一時的に保持する釣り用小物保持具に関する。
【背景技術】
【０００２】
釣り場でフック、ルアー、フライ等の釣り針を交換する際に、どうしても両手での作業を必要とする場合がある。このようなとき、釣り針を身近なところに置いたり、或いは口でくわえたりして行われているが、身近なところは一般に不安定な環境にあり、また、口にくわえるに当たっては危険を伴う場合があるため十分に注意する必要があるなど、釣り場での釣り針の交換は煩わしい作業となっている。
【０００３】
従来、釣り針を保持する保持具として、所定の厚みを備えたムートン生地等の柔らかく毛足の長い繊維状部材で構成され、一側の面に擬餌針を着脱自在に保持するための保持面を備えたホルダー部と、フック状部材とパイル状部材とで一対となる接合離脱可能な着脱部材とからなり、着脱部材の一方をホルダー部における保持面の裏側となる面に固定され、着脱部材の他方を衣服やバッグ等の他部材の所定位置に固定されるようになっており、上記着脱部材を介してホルダー部を他部材の所定位置に着脱自在とする擬餌針用保持具が提案されている（例えば、特許文献１参照。）。
【０００４】
特許文献１に記載されている擬餌針用保持具の使用にあっては、着脱部材の一方を衣服やバッグ等の他部材の所定位置に接着や縫い付けにより固定しておき、この着脱部材に、ホルダー部における保持面の裏側となる面に固定している他方の着脱部材を接合して衣服やバッグ等の他部材の所定位置にホルダー部を取り付けておく。そして、擬餌針を交換する際に、ホルダー部の保持面に擬餌針を押し付けるようにして刺し込んで保持させるようになっている。
【先行技術文献】
【特許文献】
【０００５】
【特許文献１】特開２００１−３３３６８０号公報
【発明の概要】
【発明が解決しようとする課題】
【０００６】
特許文献１に記載されている擬餌針用保持具では、着脱部材の一方を衣服やバッグ等の所定位置に接着や縫い付けにより固定しておき、この着脱部材に、ホルダー部における保持面の裏側となる面に固定している他方の着脱部材を接合して衣服やバッグ等の所定位置にホルダー部を取り付けるので、ホルダー部を衣服やバッグ等に取り付けるためには、着脱部材の一方を予め衣服やバッグ等の所定位置に接着や縫い付けにより固定しておかなければならないといった煩わしい作業を要するといった問題があった。
また、釣り場には、常に着脱部材を固定してある衣服を身に着け、また、バッグ等を携帯しなければならないといった問題があった。
【０００７】
また、擬餌針を保持するホルダー部は、所定の厚みを備えたムートン生地等の柔らかく毛足の長い繊維状部材で構成されており、ホルダー部の保持面に擬餌針を押し付けるようにして刺し込み保持させるようになっているので、擬餌針の押し付けが弱く刺し込みが浅いと擬餌針が保持面から落ちてしまうおそれがあり、また、擬餌針の押し付けが強く刺し込みが深いと、擬餌針の返しがホルダー部の繊維に絡みつき、擬餌針を保持面から容易に取り外せなくなるといった問題があった。
【０００８】
本発明の目的は、携帯に便利で、衣服やバッグ等の被取付体に容易に着脱自在に取り付けることができ、且つ、釣り用小物を容易に且つ確実に着脱できる釣り用小物保持具を提供することにある。
【課題を解決するための手段】
【０００９】
上記の目的を達成するために、請求項１に記載の発明は、磁石を備え、表面に前記磁石の磁力により磁性体で形成された釣り用小物を吸着保持する保持面が形成された釣り用小物保持部と、前記釣り用小物保持部と可撓性ある素材で形成された連結体で連結され、前記釣り用小物保持部の裏面に前記磁石の磁力により吸着可能な磁性体を備えた挟持部とからなることを特徴とする。
【００１０】
請求項１に記載の発明によれば、被取付体となる例えば衣服のポケット部や袖口等内に前記挟持部を挿入して、ポケット部や袖口等の裏面側に前記挟持部を位置させ、前記挟持部に可撓性ある素材で形成された前記連結体で連結されている前記釣り用小物保持部をポケット部の表側に位置させて、ポケット部や袖口等を挟んで前記挟持部と前記釣り用小物保持部の裏面を対向させ、前記釣り用小物保持部の裏面に前記磁石の磁力により前記挟持部を吸着させることにより、釣り用小物保持具を衣服に容易に取り付けることができる。
また、被取付体となるバッグ等の取っ手やベルト状の部位、更には、釣り竿のグリップ付近にも、当該部位に巻き付けるようにして前記挟持部と前記釣り用小物保持部の裏面を対向させ、前記釣り用小物保持部の裏面に前記磁石の磁力により前記挟持部を吸着させることにより釣り用小物保持具を容易に取り付けることができる。
このようにして被取付体に取り付けられた釣り用小物保持具の前記釣り用小物保持部は、磁石を備え、表面に前記磁石の磁力により釣り用小物を吸着保持する前記保持面が形成されているので、フック、ルアー、フライ等の釣り針や、その他釣りで使用される磁性体で形成された釣り用小物を前記磁石の磁力により前記保持面に着脱自在に容易に且つ確実に保持することができる。
【００１１】
請求項２に記載の発明は、請求項１に記載の、前記磁石及び前記磁性体は、防水性膜で被覆されていることを特徴とする。
【００１２】
請求項２に記載の発明によれば、前記磁石及び前記磁性体は、防水性膜で被覆されているので、前記磁石及び前記磁性体の錆の発生を防止できる。
【００１３】
請求項３に記載の発明は、請求項１または２に記載の、前記挟持部に備えた前記磁性体は磁石であることを特徴とする。
【００１４】
請求項３に記載の発明によれば、前記挟持部に備えた前記磁性体は磁石であるので、前記挟持部と釣り用小物保持部はそれぞれが磁力による吸着力を有しており、強い磁力となるので、被取付体に一層確実に取り付けることができる。
【発明の効果】
【００１５】
以上のように、本発明に係る釣り用小物保持具によれば、携帯に便利で、衣服やバッグ等の被取付体に容易に着脱自在に取り付けることができ、且つ、釣り用小物を容易に且つ確実に着脱でき、さらには構成が簡単なので、製造が容易で有り、安価に得ることができる。
【図面の簡単な説明】
【００１６】
【図１】本発明に係る釣り用小物保持具の実施の形態の第１例を示す平面図である。
【図２】図１のＡ−Ａ線断面図である。
【図３】第１例の釣り用小物保持具の使用の一例を示す説明図である。
【図４】第１例の釣り用小物保持具の使用の一例を示す説明図である。
【図５】第１例の釣り用小物保持具の使用の一例を示す説明図である。
【図６】本発明に係る釣り用小物保持具の実施の形態の第２例を示す平面図である。
【図７】図６のＢ−Ｂ線断面図である。
【図８】本発明に係る釣り用小物保持具の実施の形態の第３例を示す平面図である。
【図９】図８のＣ−Ｃ線断面図である。
【発明を実施するための形態】
【００１７】
以下、本発明に係る釣り用小物保持具の実施の形態の一例を図面を参照して詳細に説明する。
図１、図２は、本発明に係る釣り用小物保持具の実施の形態の第１例を示すものであり、図１は第１例の釣り用小物保持具の平面図、図２は図１のＡ−Ａ線断面図、図３、図４、図５は第１例の釣り用小物保持具の使用例を示す説明図である。
【００１８】
第１例の釣り用小物保持具１は、磁石２を備え、表面に磁石２の磁力により磁性体で形成された釣り用小物を吸着保持する保持面３が形成された釣り用小物保持部４と、釣り用小物保持部４と可撓性ある素材で形成された連結体５で連結され、釣り用小物保持部４の裏面に磁石２の磁力により吸着可能な磁性体６を備えた挟持部７とからなる。
【００１９】
釣り用小物保持部４は、本例では、表面側に開口部８を有する凹部９が形成された保持部本体１０と、凹部９に装着された磁石２と、凹部９の開口部８に嵌め込まれ、凹部９に装着された磁石２を覆い保持面３となるカバー１１とで構成されている。
【００２０】
保持部本体１０にあっては、裏面側となる凹部９の底部１２は、底部１２を透過する磁力により磁性体６を備えた挟持部７を吸着可能とする肉厚に形成されている。また、保持部本体１０の大きさは特に限定されないが、保持面３に保持させる釣り用小物の大きさ、例えば、フック、ルアー、フライなどの大きさに応じて適宜求められる。また、保持部本体１０の材料の素材としては、合成樹脂や合成ゴムが用いられている。
【００２１】
カバー１１にあっては、磁石２の磁力が透過し釣り用小物を吸着保持できる薄手の合成樹脂製のシート材で形成されている。
【００２２】
磁石２にあっては、釣り用小物を吸着し保持面３に保持でき、且つ釣り用小物保持部４の裏面と挟持部７との間に、例えば被服のポケット部や袖口を形成する生地や帽子の鍔を介在させた状態で磁性体６を備えた挟持部７を釣り用小物保持部４の裏面に吸着可能な磁力を有しており、本例ではネオジム磁石が用いられている。
【００２３】
また、挟持部７は、本例では磁力を有しない鉄板からなる磁性体６と、磁性体６を内包する挟持部本体１３とで構成されている。
挟持部本体１３は、釣り用小物保持部４の裏面に吸着される吸着面側の肉厚が、保持部本体１０の凹部９に装着されている磁石２の磁力が透過し、挟持部本体１３に内包されている磁性体６を吸着保持できる薄い肉厚となっている。挟持部本体１３の大きさや形状は特に限定されない。また、挟持部本体１３の材料として、保持部本体と同様、合成樹脂や合成ゴムが用いられている。
本例では、磁性体６を内包するように挟持部本体１３を射出成型して挟持部７としている。
【００２４】
釣り用小物保持部４と挟持部７を連結する連結体５は、その幅及び長さは特に限定されないが、連結体５が容易に捻れず、連結した釣り用小物保持部４と挟持部７との表裏の向きが変わらないようになっていることが好ましい。また、連結体５は可撓性を有する素材、例えば、可撓性を有する合成ゴム、シリコーン樹脂、軟質ポリ塩化ビニル等の合成樹脂が用いられている。
【００２５】
また、釣り用小物保持部４と挟持部７と連結体５とは、一体に形成してもよく、或いは、それぞれ別体に形成され適宜の接続手段により接続してもよい。本例では、釣り用小物保持部４と挟持部７と連結体５とは、素材として可撓性を有する合成ゴム、シリコーン樹脂、軟質ポリ塩化ビニル等の合成樹脂を用い、一体に形成している。
【００２６】
このように構成された第１例の釣り用小物保持具１によれば、被取付体１４となる例えば衣服のポケット部や袖口等内に挟持部７を挿入して、ポケット部や袖口等の裏面側に挟持部７を位置させ、連結体５を曲げて釣り用小物保持部４をポケット部の表側に位置させて、ポケット部や袖口等を挟むように挟持部７と釣り用小物保持部４の裏面を対向させ、釣り用小物保持部４の裏面に磁石２の磁力により挟持部７を吸着させることにより、釣り用小物保持具１を衣服に容易に取り付けることができる。
図３は、衣服のポケット部に釣り用小物保持具１を取り付けた状態を示している。
【００２７】
また、被取付体１４となるバッグ等の取っ手やベルト状の部位、更には、釣り竿のグリップ付近にも、当該部位に巻き付けるようにして挟持部７と釣り用小物保持部４の裏面を対向させ、釣り用小物保持部４の裏面に磁石２の磁力により挟持部７を吸着させることにより釣り用小物保持具１を容易に取り付けることができる。
図４は、釣り具収容箱の取っ手に釣り用小物保持具１を取り付けた状態を示している。また、図５は、釣り竿のグリップ付近に釣り用小物保持具１を取り付けた状態を示している。
【００２８】
このようにして被取付体１４に取り付けられた釣り用小物保持具１の釣り用小物保持部４は、表面に磁石２の磁力により釣り針などの釣り用小物１５を吸着保持する保持面３が形成されているので、釣り用小物１５を磁石２の磁力により保持面３に保持することができる。
【００２９】
図６、図７は、本発明に係る釣り用小物保持具の実施の形態の第２例を示すものであり、図６は第２例の釣り用小物保持具の平面図、図７は図６のＢ−Ｂ線断面図である。
第２例の釣り用小物保持具１は、第１例の釣り用小物保持具１と基本構成において変わるところはなく、第１例と同一の構成については同一の符号を付して説明する。
【００３０】
第２例と第１例との違いは、第２例では、釣り用小物保持部４と挟持部７と連結体５はそれぞれ別体に形成され、接続手段１６により接続されているところにある。
第２例では、釣り用小物保持部４と挟持部７にそれぞれ連結体５を接続する環部１７が設けられており、釣り用小物保持部４と挟持部７の環部１７に連結体５の端部が通され折り返して接続手段１６となるホック１８で止着されている。
従って、連結体５の素材は可撓性があればよく、例えば繊維素材であってもよい。また、釣り用小物保持部４と挟持部７にあっても、素材として可撓性を有する必要は無く、硬質の合成樹脂で形成されてもよい。
【００３１】
このように構成された第２例の釣り用小物保持具１によれば、連結体５が切断しても、容易に他の連結体５により釣り用小物保持部４と挟持部７を連結することができる。
その他の構成、作用効果及び使用例は第１例と同様なので第１例を援用し、その説明を省略する。
【００３２】
図８、図９は、本発明に係る釣り用小物保持具の実施の形態の第３例を示すものであり、図８は第３例の釣り用小物保持具の平面図、図９は図８のＣ−Ｃ線断面図である。
第３例の釣り用小物保持具１は、第１例の釣り用小物保持具１と基本構成において変わるところはなく、第１例と同一の構成については同一の符号を付して説明する。
【００３３】
第３例と第１例との違いは、第３例では、挟持部７に備えた磁性体６を磁石２としているところにあり、第３例における挟持部７は、釣り用小物保持部４と同じように構成されている。
【００３４】
このように構成された第３例の釣り用小物保持具１によれば、挟持部７に備えた磁性体６を磁石２としているので、挟持部７と釣り用小物保持部４はそれぞれが磁力による吸着力を有しており、強い磁力となるので、被取付体１４に確実に取り付けることができる。
また、挟持部７は、釣り用小物保持部４と同じように構成されているので、挟持部７が釣り用小物保持部４を兼ねることができ、被取付体１４への取付の際、釣り用小物保持部４と挟持部７の向きを意識しないで取り付けることができるので、被取付体１４への取付を容易に行うことができる。
その他の構成、作用効果及び使用例は第１例と同様なので第１例を援用し、その説明を省略する。
【００３５】
なお、図示しないが、第１例、第２例、第３例における磁石２及び磁性体６は、防水性膜で被覆されていることが好ましい。磁石２及び磁性体６を防水性膜で被覆しておくことにより磁石２及び磁性体６の錆の発生を防止できる。
また、第１例、第２例、第３例では、釣り用小物保持部４は、表面側に開口部８を有する凹部９が形成された保持部本体１０と、凹部９に装着された磁石２と、凹部９の開口部８に嵌め込まれ、凹部９に装着された磁石２を覆い保持面３となるカバー１１とで構成されているが、これに限られるものではなく、第１例の挟持部７の構成と同様に、図示しないが、磁石２を内包するように保持部本体１０を射出成形して釣り用小物保持部４とすることもできる。
【符号の説明】
【００３６】
１  釣り用小物保持具
２  磁石
３  保持面
４  釣り用小物保持部
５  連結体
６  磁性体
７  挟持部
８  開口部
９  凹部
１０  保持部本体
１１  カバー
１２  底部
１３  挟持部本体
１４  被取付体
１５  釣り用小物
１６  接続手段
１７  環部
１８  ホック
【図１】
2019170320.tif 000003
【図２】
2019170320.tif 000004
【図３】
2019170320.tif 000005
【図４】
2019170320.tif 000006
【図５】
2019170320.tif 000007
【図６】
2019170320.tif 000008
【図７】
2019170320.tif 000009
【図８】
2019170320.tif 000010
【図９】
2019170320.tif 000011